(57)【要約】【課題】ユーザがスケジュールを入力するだけで、多数の番組の中からユーザが所望する番組を予約する。【解決手段】スケジュール入力手段１０５により入力されスケジュールデータベース１０６を参照するとともに、電子番組表等からなる番組情報データベース１０４およびユーザの視聴傾向を示す視聴予約履歴データベース１１１に記憶された情報を参照して、番組抽出手段（予約番組一覧作成手段１０７、予約可能番組一覧データベース１０８、予約番組予測手段１０９）によりユーザの視聴傾向に基づいた放送番組を抽出する。抽出結果表示手段および予約確認手段（予測結果表示・確認手段１１０）により抽出された放送番組をユーザに提示し、予約を行うか否かを確認させる。確認結果に基づき、録画手段１１４により放送内容を録画する。【選択図】          図１
2004363689.tif 000002
【特許請求の範囲】
【請求項１】
ユーザの視聴傾向に基づいて放送番組の録画予約支援を行う録画再生装置であって、
記録メディアに対して放送番組の内容を記録する録画手段と、
放送番組に関する情報であって視聴に影響を与える複数の番組要素を放送番組毎に記憶した番組情報データベースと、
ユーザが日常、視聴および予約している放送番組に関するデータを記憶した視聴予約履歴データベースと、
前記ユーザのスケジュールを入力してスケジュールデータベースに登録するスケジュール入力手段と、
前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段と、
前記番組抽出手段により抽出された放送番組を前記ユーザに提示する抽出結果表示手段と、
前記ユーザに提示された放送番組の予約を前記ユーザに確認する予約確認手段とを備えたことを特徴とする録画再生装置。
【請求項２】
前記スケジュール入力手段により、スケジュールが入力されてスケジュールデータベースに登録されると、
前記番組抽出手段により、前記番組情報データベースおよび前記視聴予約履歴データベースに記憶された情報を参照し、前記スケジュール期間に放送予定の放送番組の中から前記ユーザの視聴傾向に基づいた放送番組を抽出し、
前記抽出結果表示手段により、抽出された放送番組を前記ユーザに提示し、
前記予約確認手段により、前記ユーザに対して検索結果番組の録画予約確認を行い、
前記録画手段により、該確認結果に従って録画予約を実行することを特徴とする請求項１記載の録画再生装置。
【請求項３】
前記スケジュール入力手段からスケジュールの取り消しが入力されると、
前記予約確認手段により、前記ユーザに対して録画予約の取り消しを確認し、
該確認結果に従って録画予約の取り消しを実行することを特徴とする請求項１記載の録画再生装置。
【請求項４】
前記スケジュール入力手段からスケジュールの更新が入力されると、
前記予約確認手段により、前記ユーザに対して録画予約の取り消しを確認し、
該確認結果に従って録画予約の取り消しを実行することを特徴とする請求項１記載の録画再生装置。
【請求項５】
ユーザの視聴傾向に基づいて放送番組の録画予約支援を行う録画再生装置であって、
記録メディアに対して放送番組の内容を記録する録画手段と、
放送番組に関する情報であって視聴に影響を与える複数の番組要素を放送番組毎に記憶した番組情報データベースと、
ユーザが日常、視聴および予約している放送番組に関するデータを記憶した視聴予約履歴データベースと、
前記ユーザのスケジュールを入力してスケジュールデータベースに登録するスケジュール入力手段と、
前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、
前記録画手段は、前記番組抽出手段における抽出結果の優先順位に基づいて自動録画を実行することを特徴とする録画再生装置。
【請求項６】
ユーザの視聴傾向に基づいて放送番組の録画予約支援を行う録画再生装置であって、
記録メディアに対して放送番組の内容を記録する録画手段と、
放送番組に関する情報であって視聴に影響を与える複数の番組要素を放送番組毎に記憶した番組情報データベースと、
ユーザが日常、視聴および予約している放送番組に関するデータを記憶した視聴予約履歴データベースと、
前記ユーザのスケジュールを予め登録したウェブ上のサーバと、
前記サーバに接続して前記ユーザのスケジュール情報を取得し、スケジュールデータベースに登録するスケジュール取得手段と、
前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、
前記録画手段は、前記番組抽出手段における抽出結果の優先順位に基づいて自動録画を実行することを特徴とする録画再生装置。
【請求項７】
ユーザの視聴傾向に基づいて放送番組の録画予約支援を行う録画再生装置であって、
記録メディアに対して放送番組の内容を記録する録画手段と、
放送番組に関する情報であって視聴に影響を与える複数の番組要素を放送番組毎に記憶した番組情報データベースと、
ユーザが日常、視聴および予約している放送番組に関するデータを記憶した視聴予約履歴データベースと、
前記ユーザのスケジュール情報が含まれる電子メールを受信し、スケジュールデータベースに登録するメール情報取得手段と、
前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、
前記録画手段は、前記番組抽出手段における抽出結果の優先順位に基づいて自動録画を実行することを特徴とする録画再生装置。
【発明の詳細な説明】
【０００１】
【発明の属する技術分野】
本発明は、ユーザの視聴傾向に基づいて番組の録画予約支援を行う録画再生装置に関し、特に、多数の放送番組の中からユーザが所望する放送番組を容易に録画することが可能な録画再生装置に関する。
【０００２】
【従来の技術】
従来、ユーザがテレビ番組を視聴する方法として、大きく分けて次の３つの方法があった。
【０００３】
第１の方法は、ユーザが新聞や雑誌などのテレビ番組表や番組情報、あるいは口コミによる番組情報などから番組に関する情報を取得し、それらの情報に基づいて視聴する番組を選択し、ユーザ自身が番組の放送日時に合わせてテレビジョン受信装置のチャンネルを設定することにより、番組を選択して視聴する方法である。視聴予定番組をテレビジョン受信装置に予約したり、ビデオレコーダに予約して視聴する場合にも、第１の方法が用いられている。
【０００４】
第２の方法は、ユーザが視聴する番組を特に決めずに、テレビジョン受信装置のチャンネルを切り替えて放送中の番組を視聴しながら、気に入った番組を選択する方法である。
【０００５】
第３の方法は、ＥＰＧと称される電子番組ガイドを参照して番組の予約を行う方法である。すなわち、通信衛星放送、地上波放送、インターネット通信では、電子番組ガイドが放送されており、ＥＰＧ受信機能を備えた受信装置を用いてテレビ画面上で番組表を見ることができる。第３の方法では、ユーザが画面上に表示された番組名を選択することにより、特にチャンネルを指定せずに番組を選択することができる（例えば非特許文献１参照）。なお、電子番組ガイドでは、個人の好みのチャンネルのみを表示したり、ジャンル毎に分類して表示することが可能である。
【０００６】
また、多チャンネル化に対応して番組選択支援を行う方法が開示されている。この番組選択支援方法では、個人の視聴・予約の履歴を記録して分析し、入手した電子番組表の番組データと視聴予約履歴の分析データを用いて、どの番組を当該ユーザが好むのかを予測する。そして、番組録画手段を備えた装置において、当該装置を使用する個人が好むと予測された番組を自動的に録画するようになっている（例えば特許文献１参照）。
【０００７】
【特許文献１】
特開２０００−１３７０８号公報
【非特許文献１】
映像メディア学会誌Ｖｏｌ．５１，  Ｎｏ．９，  １９９７，  ｐｐ．１３６４（３０）−１３６９（３５）．
【０００８】
【発明が解決しようとする課題】
現在、デジタルテレビ放送が本格化し、１００チャンネルを超える放送局により多数の番組が供給される時代が到来している。このように、視聴可能な番組数が増加すると、前記第１の方法により、新聞や雑誌で提供される番組情報の中からユーザが必要な情報のみを取捨選択することは困難な作業となる。
【０００９】
また、前記第２の方法により、放送中の番組を視聴しながら連続的にチャンネル切り替えを行って視聴すべき番組を選択する場合、ユーザは、視聴したいと望む複数の番組の内容を記憶し、これらを比較して選択するという作業を行っている。人間の短期記憶可能な物事の数は７±２程度と言われており、チャンネル数が増加すると連続して視聴した番組の内容を把握することは極めて困難となる。
【００１０】
また、前記第３の方法では、ペーパーレス化を図ることはできるものの、多数の番組の中から好みの番組を選択する場合の困難さという問題は解決されていない。
【００１１】
この問題を解決するため、上記特許文献１に記載された番組選択支援方法を用いることも考えられる。しかしながら、上記特許文献１に記載された番組選択支援方法において、予約録画はユーザ任せであり、根本的な解決方法とはなっていない。
【００１２】
また、常時自動録画する方法も考えられるが、大容量の記憶装置であるハードディスク記憶装置等を用いて録画を行ったとしても、ハードディスク記憶装置の録画容量には限度があるため、番組の全てを録画することはできない。また、常時自動録画した場合には、ユーザが意図しない録画番組が多数になり、結局、録画された番組の中からユーザが視聴したい番組を検索する必要がある。さらに、ユーザが視聴したい番組に関しては、ユーザが在宅して視聴可能な場合に録画する必要はない。
【００１３】
本発明は上述した事情に鑑み提案されたもので、ユーザがスケジュールを入力するだけで、多数の番組の中からユーザが所望する番組を予約することが可能な録画再生装置を提供することを目的とする。
【００１４】
【課題を解決するための手段】
本発明の録画再生装置は、ユーザの視聴傾向に基づいて放送番組の録画予約支援を行う録画再生装置であって、記録メディアに対して放送番組の内容を記録する録画手段と、放送番組に関する情報であって視聴に影響を与える複数の番組要素を放送番組毎に記憶した番組情報データベースと、ユーザが日常、視聴および予約している放送番組に関するデータを記憶した視聴予約履歴データベースと、前記ユーザのスケジュールを入力してスケジュールデータベースに登録するスケジュール入力手段と、前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段と、前記番組抽出手段により抽出された放送番組を前記ユーザに提示する抽出結果表示手段と、前記ユーザに提示された放送番組の予約を前記ユーザに確認する予約確認手段とを備えたことを特徴とするものである。
【００１５】
ここで、前記録画再生装置は、前記スケジュール入力手段により、スケジュールが入力されてスケジュールデータベースに登録されると、前記番組抽出手段により、前記番組情報データベースおよび前記視聴予約履歴データベースに記憶された情報を参照し、前記スケジュール期間に放送予定の放送番組の中から前記ユーザの視聴傾向に基づいた放送番組を抽出し、前記抽出結果表示手段により、抽出された放送番組を前記ユーザに提示し、前記予約確認手段により、前記ユーザに対して検索結果番組の録画予約確認を行い、前記録画手段により、該確認結果に従って録画予約を実行することを特徴とするものである。
【００１６】
また、前記録画再生装置において、前記スケジュール入力手段からスケジュールの取り消しが入力されると、前記予約確認手段により、前記ユーザに対して録画予約の取り消しを確認し、該確認結果に従って録画予約の取り消しを実行することを特徴とする。
【００１７】
また、前記録画再生装置において、前記スケジュール入力手段からスケジュールの更新が入力されると、前記予約確認手段により、前記ユーザに対して録画予約の取り消しを確認し、該確認結果に従って録画予約の取り消しを実行することを特徴とする。
【００１８】
また、本発明の録画再生装置は、ユーザの視聴傾向に基づいて放送番組の録画予約支援を行う録画再生装置であって、記録メディアに対して放送番組の内容を記録する録画手段と、放送番組に関する情報であって視聴に影響を与える複数の番組要素を放送番組毎に記憶した番組情報データベースと、ユーザが日常、視聴および予約している放送番組に関するデータを記憶した視聴予約履歴データベースと、前記ユーザのスケジュールを入力してスケジュールデータベースに登録するスケジュール入力手段と、前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、前記録画手段は、前記番組抽出手段における抽出結果の優先順位に基づいて自動録画を実行することを特徴とするものである。
【００１９】
また、本発明の録画再生装置は、ユーザの視聴傾向に基づいて放送番組の録画予約支援を行う録画再生装置であって、記録メディアに対して放送番組の内容を記録する録画手段と、放送番組に関する情報であって視聴に影響を与える複数の番組要素を放送番組毎に記憶した番組情報データベースと、ユーザが日常、視聴および予約している放送番組に関するデータを記憶した視聴予約履歴データベースと、前記ユーザのスケジュールを予め登録したウェブ上のサーバと、前記サーバに接続して前記ユーザのスケジュール情報を取得し、スケジュールデータベースに登録するスケジュール取得手段と、前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、前記録画手段は、前記番組抽出手段における抽出結果の優先順位に基づいて自動録画を実行することを特徴とするものである。
【００２０】
また、本発明の録画再生装置は、ユーザの視聴傾向に基づいて放送番組の録画予約支援を行う録画再生装置であって、記録メディアに対して放送番組の内容を記録する録画手段と、放送番組に関する情報であって視聴に影響を与える複数の番組要素を放送番組毎に記憶した番組情報データベースと、ユーザが日常、視聴および予約している放送番組に関するデータを記憶した視聴予約履歴データベースと、前記ユーザのスケジュール情報が含まれる電子メールを受信し、スケジュールデータベースに登録するメール情報取得手段と、前記番組情報データベースおよび前記視聴予約履歴データベースに記憶された情報を参照し、前記スケジュールデータベースに登録されたスケジュール期間に放送予定の放送番組の中から前記ユーザの視聴傾向に基づいた放送番組を抽出する番組抽出手段とを備え、前記録画手段は、前記番組抽出手段における抽出結果の優先順位に基づいて自動録画を実行することを特徴とするものである。
【００２１】
次に、上記各手段等について具体的に説明する。なお、本発明の各手段は、以下に例示する装置等に限定されるものではなく、各手段の機能を発揮することができればどのような装置等を用いてもよい。
【００２２】
録画手段は、例えばハードディスク記憶装置、ＤＶＤ、磁気テープ等の記録メディアに対して放送番組の内容を記録する記録装置のことをいう。番組情報データベースは、例えば電子番組表（ＥＰＧ）等を受信し、このＥＰＧをハードディスク記憶装置、ＲＡＭ等に記憶することにより構築される。
【００２３】
視聴予約履歴データベースは、例えば録画予約情報データベース等の記憶に基づいて、ユーザが日常、視聴および予約している放送番組に関するデータを抽出し、抽出したデータをハードディスク記憶装置、ＲＡＭ等に記憶することにより構築される。
【００２４】
スケジュール入力手段は、例えばリモコン、キーボード、情報機器等の入力装置のことをいうが、ＰＤＡ、携帯電話等の情報端末からデータを転送する手段、あるいはインターネットサーバを介してデータを取得する手段もスケジュール入力手段に含まれる。また、スケジュールデータベースは、入力されたデータをハードディスク記憶装置、ＲＡＭ等に記憶することにより構築される。
【００２５】
番組抽出手段は、録画再生装置を制御する制御装置の機能として実現されるもので、例えばマイクロコンピュータおよびその制御プログラムにより構成される。抽出結果表示手段は、例えば液晶表示装置、ＣＲＴ等の表示装置により構成される。予約確認手段は、ユーザ側の入力手段として、例えばリモコン、キーボード、情報機器等の入力装置等のようにスケジュール入力手段とほぼ同様の機器が使用されるとともに、録画装置を制御する制御装置の機能として実現されるもので、前記入力手段に加えて、例えばマイクロコンピュータおよびその制御プログラムにより構成される。
【００２６】
スケジュール取得手段は、例えば電話回線、インターネット回線と接続されるモデム等の接続機器および録画装置を制御する制御装置の機能として実現されるもので、前記接続機器に加えて、例えばマイクロコンピュータおよびその制御プログラムにより構成される。
【００２７】
メール情報取得手段は、例えば電話回線、インターネット回線と接続されるモデム等の接続機器および録画装置を制御する制御装置の機能として実現されるもので、前記接続機器に加えて、例えばマイクロコンピュータおよびその制御プログラムにより構成される。
【００２８】
【発明の実施の形態】
以下、本発明の録画再生装置の実施形態について、図面を参照して説明する。
【００２９】
なお、以下に説明する各実施形態では、録画先の記録メディアをハードディスク記憶装置（以下、ＨＤＤと略記する）としているが、記録メディアは番組内容を記録できればどのようなものであってもよく、磁気テープ、光磁気ディスク（例えばＤＶＤ）等を用いることができる。
【００３０】
＜第１の実施形態＞
図１を参照して、本発明の第１の実施形態に係る録画再生装置を説明する。図１は、本発明の第１の実施形態に係る録画再生装置の概略構成を示すブロック図である。
【００３１】
第１の実施形態に係る録画再生装置は、図１に示すように、アンテナ１０１、チューナ１０２、番組受信装置１０３、番組情報データベース１０４、スケジュール入力手段１０５、スケジュールデータベース１０６、予約番組一覧作成手段１０７、予約可能番組一覧データベース１０８、予約番組予測手段１０９、予測結果表示・確認手段１１０、視聴予約履歴データベース１１１、予約手段１１２、録画予約情報データベース１１３、録画手段１１４、およびＨＤＤ１１５を備えて構成される。
【００３２】
なお、第１の実施形態に係る録画再生装置では、予約番組一覧作成手段１０７、予約可能番組一覧データベース１０８、および予約番組予測手段１０９が、番組情報データベースおよび視聴予約履歴データベースに記憶された情報を参照し、スケジュールデータベースに登録されたスケジュール期間に放送予定の放送番組の中からユーザの視聴傾向に基づいた放送番組を抽出する番組抽出手段として機能し、予測結果表示・確認手段１１０が、番組抽出手段により抽出された放送番組をユーザに提示する抽出結果表示手段、およびユーザに提示された放送番組の予約をユーザに確認する予約確認手段として機能する。
【００３３】
第１の実施形態に係る録画再生装置では、アンテナ１０１より入力された放送信号が、チューナ１０２を介して番組受信装置１０３に入力される。そして、番組受信装置１０３により、放送信号に含まれるＥＰＧ（電子番組表）が受信されて、番組情報データベース１０４に登録される。また、スケジュール入力手段１０５により入力されたユーザのスケジュールは、スケジュールデータベース１０６に保存される。
【００３４】
予約番組一覧作成手段１０７は、番組情報データベース１０４およびスケジュールデータベース１０６を参照して、予約可能番組一覧データベース１０８を作成する。予約番組予測手段１０９は、予約可能番組一覧データベース１０８および視聴予約履歴データベース１１１を参照して、ユーザの嗜好に合うと判断された放送番組を抽出する。予測結果表示・確認手段１１０は、抽出した放送番組をユーザに表示するとともに、当該表示した放送番組の予約をユーザに確認させる。
【００３５】
予約手段１１２は、ユーザの確認結果に基づいて予約を行い、録画予約情報データベース１１３を作成する。録画手段１１４は、録画予約情報データベース１１３を参照して、ＨＤＤ１１５への録画を実行する。ユーザはテレビジョン表示装置（図示せず）を用いて、録画された放送番組を視聴することができる。
【００３６】
次に、図２を参照して、予約番組一覧作成手段１０７により予約可能番組一覧データベース１０８を作成する手順を説明する。図２は、予約番組一覧作成手段１０７により予約可能番組一覧データベース１０８を作成する手順を示すフローチャートである。
【００３７】
録画再生装置がＥＰＧを受信すると（Ｓ１００１）、番組情報作成プログラムが起動し（Ｓ１００２）、ＥＰＧに基づいて各番組毎の番組情報データベース１０４を作成する（Ｓ１００３）。
【００３８】
また、スケジュール入力手段１０５によりスケジュールが入力されると（Ｓ１００４）、スケジュール登録プログラムが起動し（Ｓ１００５）、入力されたスケジュールをスケジュールデータベース１０６に登録する（Ｓ１００６）。そして、予約番組一覧作成プログラムが起動し（Ｓ１００７）、番組情報データベース１０４およびスケジュールデータベース１０６を参照して、当該スケジュールの時間帯における予約番組一覧を作成する（Ｓ１００８）。
【００３９】
さらに、予約可能番組一覧作成プログラムが起動し（Ｓ１０１０）、録画予約情報データベース１１３を参照して（Ｓ１００９）、既に登録されている予約番組を番組一覧から除去し、残った番組一覧の中から予約可能番組一覧データベース１０８を作成する（Ｓ１０１１）。
【００４０】
次に、図３を参照して、予約番組予測手段１０９によりユーザの嗜好に合うと判断された放送番組を抽出する手順を説明する。図３は、予約番組予測手段１０９によりユーザの嗜好に合うと判断された放送番組を抽出する手順を示すフローチャートである。
【００４１】
予約番組予測手段１０９は、作成された予約可能番組一覧データベース１０８を参照するとともに（Ｓ１１０１）、視聴予約履歴データベース１１１を参照し（Ｓ１１０２）、優先度の高い順に予約可能番組の並び替えを行い（Ｓ１１０３）、予測番組一覧を出力する（Ｓ１１０４）。
【００４２】
ここで、優先度とは、視聴予約履歴データベースに記憶されている情報に基づいて決定されるもので、ユーザによる視聴および予約がなされている頻度が高い放送番組の優先度が高順位となる。
【００４３】
予約番組予測手段１０９により作成された予約番組一覧は、予測結果表示・確認手段１１０により表示され、ユーザが確認した後、予約手段１１２により録画予約番組として録画予約情報データベース１１３に登録される。また、録画予約番組は視聴予約履歴データベース１１１に登録され、次の番組予測に使用される。
【００４４】
さらに、予約番組予測手段１０９は、録画予約番組以外でさらに録画予約可能な番組が存在するか否かを検索し、録画予約可能な番組が存在する場合には、再び優先度の高い順に並び替えを行い、ユーザに対して確認を行う。そして、録画手段１１４は、録画予約情報データベース１１３を参照して、録画予約番組をＨＤＤ１１５に記憶する。
【００４５】
＜第２の実施形態＞
図４を参照して、本発明の第２の実施形態に係る録画再生装置を説明する。図２は、本発明の第２の実施形態に係る録画再生装置の主要部の構成を示すブロック図である。なお、第２の実施形態に係る録画再生装置において、図４に示す主要部以外の構成は、図１に示す第１の実施形態に係る録画再生装置とほぼ同様の構成となっている。また、図４において、図１に示す第１の実施形態に係る録画再生装置と同様の機能を有する部分には同一の符号を付して詳細な説明を省略する。
【００４６】
第２の実施形態に係る録画再生装置は、スケジュール入力手段１０５を用いてスケジュールの取り消しが入力された場合に予約番組の取り消しを行うようにしたもので、図１に示す第１の実施形態に係る録画再生装置の構成に加えて、予約番組の取り消しを行うための構成である予約番組検索手段２０１、予約取消表示・確認手段２０２、および予約取消手段２０３を備えている。
【００４７】
ここで、予約番組検索手段２０１および予約取消手段２０３は、録画再生装置を制御する制御装置の機能として実現されるもので、例えばマイクロコンピュータおよびその制御プログラムにより構成される。また、予約取消表示・確認手段２０２は、例えば液晶表示装置、ＣＲＴ等の表示装置、およびユーザ側の入力手段として、例えばリモコン、キーボード、情報機器等の入力装置等により構成される。
【００４８】
第２の実施形態に係る録画再生装置では、スケジュール入力手段１０５を用いてスケジュールの取り消しが入力されると、スケジュールデータベース１０６から当該スケジュールを削除する。
【００４９】
予約番組検索手段２０１は、録画予約情報データベース１１３を参照して、取り消されたスケジュールに対応する時間帯に登録された録画予約番組を検索する。予約取消表示・確認手段２０２は、検索した録画予約番組をユーザに表示するとともに、当該表示した録画予約番組の予約を取り消すか否かをユーザに確認させる。予約取消手段２０３は、確認のとれた録画予約番組の登録を録画予約情報データベース１１３から削除する。また、録画が取り消された放送番組は、視聴予約履歴データベース１１１からも削除される。
【００５０】
これにより、ユーザは自分のスケジュールの削除操作を行うだけで、予約している番組の中から不必要になった予約の取り消しを行うことができる。
【００５１】
＜第３の実施形態＞
図５を参照して、本発明の第３の実施形態に係る録画再生装置を説明する。図５は、本発明の第３の実施形態に係る録画再生装置の概略構成を示すブロック図である。なお、図５において、図１に示す第１の実施形態に係る録画再生装置および図４に示す第２の実施形態に係る録画再生装置と同様の機能を有する部分には同一の符号を付して詳細な説明を省略する。
【００５２】
第３の実施形態に係る録画再生装置は、スケジュール入力手段１０５を用いてスケジュールの更新が入力された場合に予約番組の取り消しを行うようにしたもので、第２の実施形態に係る録画再生装置とほぼ同様の構成を備えている。
【００５３】
第３の実施形態に係る録画再生装置では、スケジュール入力手段１０５を用いてスケジュールの更新が入力されると、スケジュールデータベース１０６から当該スケジュールを削除する。
【００５４】
予約番組検索手段２０１は、録画予約番組データベース１１３を参照して、更新されたスケジュールに対応する時間帯に登録された録画予約番組を検索する。予約取消表示・確認手段２０２は、検索した録画予約番組をユーザに表示するとともに、当該表示した録画予約番組の予約を取り消すか否かをユーザに確認させる。
【００５５】
予約取消手段２０３は、確認のとれた録画予約番組の登録を録画予約情報データベース１１３から削除する。また、録画が取り消された放送番組は、視聴予約履歴データベース１１１からも削除される。
さらに、更新されたスケジュールをスケジュールデータベース１０６に登録し直し、予約番組予測手段１０９により、録画予約可能な放送番組が存在するか否かを検索する。
【００５６】
録画予約可能な放送番組が存在した場合には、当該録画可能な放送番組が予測結果表示・確認手段１１０により表示され、ユーザが確認した後、予約手段１１２により録画予約番組として録画予約情報データベース１１３に登録される。そして、録画手段１１４は、録画予約情報データベース１１３を参照して、録画予約番組をＨＤＤ１１５に記憶する。
【００５７】
これにより、ユーザは自分のスケジュールの更新操作を行うだけで、予約更新を確実に行うことができる。
【００５８】
＜第４の実施形態＞
図６を参照して、本発明の第４の実施形態に係る録画再生装置を説明する。図６は、本発明の第４の実施形態に係る録画再生装置の概略構成を示すブロック図である。なお、図６において、図１に示す第１の実施形態に係る録画再生装置と同様の機能を有する部分には同一の符号を付して詳細な説明を省略する。
【００５９】
第４の実施形態に係る録画再生装置は、予約内容をユーザに表示して確認させることなく自動録画を行うようにしたもので、第１の実施形態に係る録画再生装置の構成から予約内容の表示および確認に関する構成を省略した構成となっている。
【００６０】
第４の実施形態に係る録画再生装置では、アンテナ１０１より入力された放送信号が、チューナ１０２を介して番組受信装置１０３に入力される。そして、番組受信装置１０３により、放送信号に含まれるＥＰＧ（電子番組表）が受信されて、番組情報データベース１０４に登録される。また、スケジュール入力手段１０５により入力されたユーザのスケジュールは、スケジュールデータベース１０６に保存される。
【００６１】
予約番組一覧作成手段１０７は、番組情報データベース１０４およびスケジュールデータベース１０６を参照して、予約可能番組一覧データベース１０８を作成する。予約番組予測手段１０９は、作成された予約可能番組一覧データベース１０８を参照するとともに、視聴予約履歴データベース１１１を参照し、優先度の高い順に予約可能番組の並び替えを行い、予測番組一覧を出力する。
【００６２】
ここで、優先度とは、第１の実施形態に係る録画再生装置と同様の概念であり、視聴予約履歴データベースに記憶されている情報に基づいて決定され、ユーザによる視聴および予約がなされている頻度が高い放送番組の優先度が高順位となる。
【００６３】
予約手段１１２は、予約番組予測手段１０９から出力された予測番組一覧に基づいて予約を行い、録画予約情報データベース１１３を作成する。録画手段１１４は、録画予約情報データベース１１３を参照して、ＨＤＤ１１５への録画を実行する。
【００６４】
これにより、ユーザは自分のスケジュールを入力するだけで、自動的にユーザの嗜好に合った番組の録画予約を行うことができる。
【００６５】
＜第５の実施形態＞
図７を参照して、本発明の第５の実施形態に係る録画再生装置を説明する。図７は、本発明の第５の実施形態に係る録画再生装置の概略構成を示すブロック図である。なお、図７において、図１に示す第１の実施形態に係る録画再生装置と同様の機能を有する部分には同一の符号を付して詳細な説明を省略する。
【００６６】
第５の実施形態に係る録画再生装置は、予めウェブ上のサーバに登録されたユーザのスケジュールを参照して自動録画を行うようにしたもので、第１の実施形態に係る録画再生装置の構成に加えて、ウェブ上のサーバにスケジュール情報を蓄積するとともに該サーバからスケジュール情報を取得するための構成である情報機器５０１、インターネット５０２、スケジュールサーバ５０３、およびスケジュール取得手段５０４を備えるとともに、予約内容の表示および確認に関する構成を省略した構成となっている。ここで、情報機器５０１は、例えばＰＤＡ、携帯電話、ノートパソコン等により構成される。
【００６７】
第５の実施形態に係る録画再生装置では、ユーザは、情報機器５０１からインターネット５０２上のスケジュールサーバ５０３にアクセスし、スケジュールを登録する。録画再生装置のスケジュール取得手段５０４は、所定時間毎にインターネット５０２上のスケジュールサーバ５０３にアクセスすることにより、スケジュール情報を取得し、スケジュールデータベース１０６に登録する。
【００６８】
また、アンテナ１０１より入力された放送信号が、チューナ１０２を介して番組受信装置１０３に入力される。そして、番組受信装置１０３により、放送信号に含まれるＥＰＧ（電子番組表）が受信されて、番組情報データベース１０４に登録される。
【００６９】
予約番組一覧作成手段１０７は、番組情報データベース１０４およびスケジュールデータベース１０６を参照して、予約可能番組一覧データベース１０８を作成する。予約番組予測手段１０９は、作成された予約可能番組一覧データベース１０８を参照するとともに、視聴予約履歴データベース１１１を参照し、優先度の高い順に予約可能番組の並び替えを行い、予測番組一覧を出力する。
【００７０】
ここで、優先度とは、第１の実施形態に係る録画再生装置と同様の概念であり、視聴予約履歴データベースに記憶されている情報に基づいて決定され、ユーザによる視聴および予約がなされている頻度が高い放送番組の優先度が高順位となる。
【００７１】
予約手段１１２は、予約番組予測手段１０９から出力された予測番組一覧に基づいて予約を行い、録画予約情報データベース１１３を作成する。録画手段１１４は、録画予約情報データベース１１３を参照して、ＨＤＤ１１５への録画を実行する。
【００７２】
これにより、ユーザはインターネット上のスケジュールサーバに自分のスケジュールを登録するだけで、自動的にユーザの嗜好に合った番組の録画予約を行うことができる。
【００７３】
＜第６の実施形態＞
図８を参照して、本発明の第６の実施形態に係る録画再生装置を説明する。図８は、本発明の第６の実施形態に係る録画再生装置の概略構成を示すブロック図である。なお、図８において、図１に示す第１の実施形態に係る録画再生装置、および図７に示す第５の実施形態に係る録画再生装置と同様の機能を有する部分には同一の符号を付して詳細な説明を省略する。
【００７４】
第６の実施形態に係る録画再生装置は、ユーザから送信されたスケジュール情報が含まれる電子メールを受信し、自動録画を行うようにしたもので、第１の実施形態に係る録画再生装置の構成に加えて、電子メールを用いてスケジュール情報を取得するための構成である情報機器５０１、インターネット５０２、メールサーバ６０１、メール受信手段６０２、およびスケジュール抽出手段６０３を備えるとともに、予約内容の表示および確認に関する構成を省略した構成となっている。
【００７５】
なお、メール受信手段６０２およびスケジュール抽出手段６０３が、ユーザのスケジュール情報が含まれる電子メールを受信し、スケジュールデータベースに登録するメール情報取得手段として機能する。
【００７６】
第６の実施形態に係る録画再生装置では、ユーザは、情報機器５０１からスケジュール情報を含む電子メールを送信する。送信された電子メールは、インターネット５０２上のメールサーバ６０１に蓄積される。
【００７７】
録画再生装置のメール受信手段６０２は、所定時間毎にインターネット５０２上のメールサーバ６０１にアクセスすることにより電子メールを受信する。スケジュール抽出手段６０３は、受信した電子メールからスケジュール情報を抽出し、スケジュールデータベース１０６に登録する。
【００７８】
また、アンテナ１０１より入力された放送信号が、チューナ１０２を介して番組受信装置１０３に入力される。そして、番組受信装置１０３により、放送信号に含まれるＥＰＧ（電子番組表）が受信されて、番組情報データベース１０４に登録される。
【００７９】
予約番組一覧作成手段１０７は、番組情報データベース１０４およびスケジュールデータベース１０６を参照して、予約可能番組一覧データベース１０８を作成する。予約番組予測手段１０９は、作成された予約可能番組一覧データベース１０８を参照するとともに、視聴予約履歴データベース１１１を参照し、優先度の高い順に予約可能番組の並び替えを行い、予測番組一覧を出力する。
【００８０】
ここで、優先度とは、第１の実施形態に係る録画再生装置と同様の概念であり、視聴予約履歴データベースに記憶されている情報に基づいて決定され、ユーザによる視聴および予約がなされている頻度が高い放送番組の優先度が高順位となる。
【００８１】
予約手段１１２は、予約番組予測手段１０９から出力された予測番組一覧に基づいて予約を行い、録画予約情報データベース１１３を作成する。録画手段１１４は、録画予約情報データベース１１３を参照して、ＨＤＤ１１５への録画を実行する。
【００８２】
これにより、ユーザは録画再生装置に対してスケジュール情報を含む電子メールを送信するだけで、自動的にユーザの嗜好に合った番組の録画予約を行うことができる。
【００８３】
【発明の効果】
上述したように、本発明の録画再生装置は、スケジュールデータベースに登録されたユーザのスケジュールに合わせて、電子番組表等からなる番組情報データベースおよびユーザの視聴傾向を示す視聴予約履歴データベースに記憶された情報を参照して、ユーザの視聴傾向に基づいた放送番組を抽出し、当該放送番組をユーザに提示するとともに、予約を行うか否かを確認させ、録画予約を行うことができる。したがって、ユーザはスケジュールを入力するだけで、複雑な操作を行うことなく、容易にユーザの嗜好に合った番組の予約を行うことが可能となる。このため、特にデジタルテレビ放送が本格化し、１００チャンネルを超える放送局により多数の番組が供給された場合であっても、ユーザの嗜好に合った番組のみを抽出して予約録画を行うことができるので、ユーザが所望する番組を録画し忘れることがなく、また記録メディアの記録容量を効率よく使用することが可能となる。
【００８４】
また、本発明の録画再生装置は、スケジュール入力手段を用いてスケジュールの取り消しが入力された場合に予約番組の取り消しを行うことができるので、ユーザはスケジュールの削除操作を行うだけで、予約している番組の中から不必要になった予約の取り消しを行うことが可能となる。
【００８５】
また、本発明の録画再生装置は、スケジュール入力手段を用いてスケジュールの更新が入力された場合に予約番組の取り消しを行うことができるので、ユーザはスケジュールの更新操作を行うだけで、予約更新を確実に行うことが可能となる。
【００８６】
また、本発明の録画再生装置は、予約内容をユーザに表示して確認させることなく自動録画を行うことができるため、ユーザはスケジュールを入力するだけで、自動的にユーザの嗜好に合った番組の録画予約を行うことが可能となる。
【００８７】
また、本発明の録画再生装置は、予めウェブ上のサーバに登録されたユーザのスケジュールを参照して自動録画を行うことができるので、ユーザはインターネット上のサーバにスケジュールを登録するだけで、自動的にユーザの嗜好に合った番組の録画予約を行うことが可能となる。
【００８８】
また、本発明の録画再生装置は、ユーザから送信されたスケジュール情報が含まれる電子メールを受信し、自動録画を行うことができるので、ユーザは録画再生装置に対してスケジュール情報を含む電子メールを送信するだけで、自動的にユーザの嗜好にあった番組の録画予約を行うことが可能となる。
【図面の簡単な説明】
【図１】本発明の第１の実施形態に係る録画再生装置の概略構成を示すブロック図である。
【図２】予約番組一覧作成手段により予約可能番組一覧データベースを作成する手順を示すフローチャートである。
【図３】予約番組予測手段によりユーザの嗜好に合うと判断された放送番組を抽出する手順を示すフローチャートである。
【図４】本発明の第２の実施形態に係る録画再生装置の主要部の構成を示すブロック図である。
【図５】本発明の第３の実施形態に係る録画再生装置の概略構成を示すブロック図である。
【図６】本発明の第４の実施形態に係る録画再生装置の概略構成を示すブロック図である。
【図７】本発明の第５の実施形態に係る録画再生装置の概略構成を示すブロック図である。
【図８】本発明の第６の実施形態に係る録画再生装置の概略構成を示すブロック図である。
【符号の説明】
１０１  アンテナ
１０２  チューナ
１０３  番組受信装置
１０４  番組情報データベース
１０５  スケジュール入力手段
１０６  スケジュールデータベース
１０７  予約番組一覧作成手段
１０８  予約可能番組一覧データベース
１０９  予約番組予測手段
１１０  予測結果表示・確認手段
１１１  視聴予約履歴データベース
１１２  予約手段
１１３  録画予約情報データベース
１１４  録画手段
１１５  ＨＤＤ（ハードディスク記憶装置）
２０１  予約番組検索手段
２０２  予約取消表示・確認手段
２０３  予約取消手段
５０１  情報機器
５０２  インターネット
５０３  スケジュールサーバ
５０４  スケジュール取得手段
６０１  メールサーバ
６０２  メール受信手段
６０３  スケジュール抽出手段
【図１】
2004363689.tif 000003
【図２】
2004363689.tif 000004
【図３】
2004363689.tif 000005
【図４】
2004363689.tif 000006
【図５】
2004363689.tif 000007
【図６】
2004363689.tif 000008
【図７】
2004363689.tif 000009
【図８】
2004363689.tif 000010